(57)【特許請求の範囲】
【請求項１】
ヘルメット本体の前面に装着されるシールドの取付け構造であって、
シールドの全開上限位置で係合凸縁がストッパーに接触し、係合凸縁がストッパーを越えたときにのみ、シールドの取付部に備えられたボス部の案内片が、ヘルメットの左右側部に設けられた係合雄部材のボス部支持用の凹部に形成された係合段部との係合が解除されると共に、凹部に形成された案内片着脱用の入口から離脱可能となる取付構造において、
係合凸縁にストッパーが通過可能な大きさの通過凹部を形成すると共に、係合雄部材にストッパーを通過凹部に対して合致及び離反するようにスライド可能、且つ常に凹部から離反する方向へ付勢して係合一体化し、
ストッパーは、シールドの全開上限位置で付勢力に抗してスライドさせる操作部の操作によって、シールドの全開上限位置以上の位置で通過凹部と合致する位置を保持する保持部で保持されると共に、係合凸縁との係合を解除してシールドを全開上限位置から離脱可能位置まで上方回動可能とする一方、その状態からシールドを離脱可能位置まで回動させて離脱した場合、及び離脱可能位置まで回動せず、そのままシールドを全開上限位置から下げた場合には、ストッパーが保持部から開放され、前記付勢力によって初期状態に戻る事を特徴とする取付構造。
【発明の詳細な説明】
【０００１】
【発明の属する技術分野】
本発明は、オートバイ、四輪自動車等各種移動車両又は移動機具に乗る際に頭部及び顔面を保護するために被るフルフェースタイプ及びジェットタイプのヘルメットに装備されるシールドの取付構造に関する。
【０００２】
【従来背景】
シールドの全開上限位置で係合凸縁がストッパーに接触し、係合凸縁がストッパーを乗り越えたときに、シールドの取付け部に備えられたボス部の案内片が、帽体に設けられたボス部嵌合用の凹部に形成された係合段部との係合が解除されると共に、凹部に形成された案内片着脱用の入口部から離脱可能となり、この状態において凹部からボス部を抜き取ることによってシールドを帽体から取り外すことができるシールドの取付構造は、本出願人が特公平６−６０４４４号公報に記載の通り既に提案している。
【０００３】
【発明が解決しようとする課題】
公報記載の取付構造は、シールドの全開上限位置で係合凸縁がストッパーに接触した位置において両部材の係合を外す意識を持って、シールドを広げる又は捩るというような通常の使用では行なわれない操作をすることにより、係合凸縁がストッパーを乗り越えた位置へとシールドが回動し、当該位置において前記案内片が入口部に合致してボス部の凹部からの離脱を可能にすることによって、シールドの取り外しを行なうものである。
又、通常の使用におけるシールドの開閉では、案内片と係合段部とが常に係合していると共に、シールドの全開上限位置で係合突起がストッパーに接触してそれ以上の回動が防止されているので、シールドが帽体から外れてしまうことはない。
この発明により、シールド取り外し時において止めネジを全く使用することなくワンタッチで行うことができるようになった。
本発明は、前記公報において提案した取付構造の優れた効果を保持した上で、シールド着脱操作についてさらに利便性を向上させることを課題とし、その課題を達成することができるシールドの取付構造の提供を目的とする。
【０００４】
【課題を解決するための手段】
上記した目的を達成するために本発明が採用した技術的手段は、ヘルメット本体の前面に装着されるシールド１の取付け構造であって、シールド１の全開上限位置で係合凸縁１０１がストッパー５に接触し、係合凸縁１０１がストッパー５を越えたときに、シールド１の取付部２に備えられたボス部８２の案内片８１が、ヘルメットＡの左右側部に設けられた係合雄部材Ｂのボス部８２支持用の凹部３１に形成された係合段部３３との係合が解除されると共に、凹部３１に形成された案内片８１着脱用の入口３２から離脱可能となる取付構造において、係合凸縁１０１にストッパー５が通過可能な大きさの通過凹部１０２を形成すると共に、係合雄部材Ｂにストッパー５を通過凹部１０２に対して合致及び離反するようにスライド可能、且つ常に通過凹部１０２から離反する方向へ付勢して係合一体化し、ストッパー５は、シールド１の全開上限位置で付勢力に抗してスライドさせる操作部９３の操作によって、シールド１の全開上限位置以上の位置で通過凹部１０２と合致する位置を保持する保持部１０で保持されると共に、係合凸縁１０１との係合を解除してシールド１を全開上限位置からさらに上方回動可能にする一方、その状態からシールド１を離脱可能位置まで回動させて離脱した場合、及び離脱可能位置まで回動せず、そのままシールド１を全開上限位置から下げた場合には、ストッパー５が保持部１０から開放され、前記付勢力によって初期状態に戻る事を特徴とする取付構造にしたことである。
【０００５】
【発明の実施の形態】
特公平６−６０４４４号公報に記載の取付構造では、シールドの回動中心となる支持部と同心円上に位置する節度手段を有している。
節度手段は、シールドの開閉における開閉角度を段階的に調節するものであり、全閉下限位置から全開上限位置までの間で弾性的にシールドを所定位置にて保持するものである。
後記する実施例では、節度手段を備えた例で説明するが、本発明では節度手段を備えた取付構造に限定されるものではない。
又、後記する実施例では、ジェット型のヘルメットに備えられた例で説明するが、本発明の取付構造はフルフェース型のヘルメットにも備えることができる。
【０００６】
本発明によれば、シールド１を全開上限位置にすると、係合凸縁１０１がストッパー５に接触してこれ以上の回動が規制される。（図５乃至図８参照）
回動規制状態から操作部９３の操作でストッパー５を通過凹部１０２方向へスライドさせると、通過凹部１０２と合致する位置で保持部１０によって保持される。（図９乃至図１２参照）
この状態では、案内片８１が係合段部３３と係合しており、この係合によってボス部８２が凹部３１から離脱することを阻止している。
この状態からシールド１を上方に回動すると、通過凹部１０２がストッパー５を通過し、係合凸部１０１がストッパー５を越えて案内片８１の係合段部３３との係合が解除されると共に、案内片８１が入口３２に合致することによって、ボス部８２が凹部３１から離脱可能状態となる。（図１３参照）
離脱可能位置からシールド１を外側に人為的に広げる、又は、シールド１の弾性によって、ボス部８２が凹部３１から離脱してシールド１が取り外される。（図１４参照）
シールド１を取り外すと、ストッパー５は保持部１０による保持が解除されると共に、付勢力によって通過凹部１０２から離反する方向にスライドして初期状態に復帰する。（図１４参照）
したがって、操作部９３を操作すれば、通常のシールド１の開動作により、シールド１を取り外すことができる。
【０００７】
シールド１を取り付けるには、シールド１を前記した離脱可能位置にし、ボス部８２を凹部３１に押し込むと、押し面９２が案内片８１で押されて凹部３１から離反する方向にスライドして凹部３１を開放し、ボス部８２が凹部３１に押し込まれると同時に、押し面９２が凹部３１方向にスライドし、凹部３１を閉塞することによってシールド１が支持される。
このときの押し面９２の移動量は、前記操作部９３の操作でスライドするストッパー５が保持部１０に保持される部位の手前までであり、取付け動作によるストッパー５のスライドでは保持部１０には保持されない。
そして、シールド１を下方に回動すると、係合凸縁１０１がストッパー５を載り越えて全開上限位置に至り、シールド１が図１乃至図４に示す通常の開閉回動可能状態となる。
図示では、ストッパー５の、シールド１の下方回動において係合凸縁１０１が接触する部位に、厚み方向に傾斜する傾斜面が形成されており、係合凸縁１０１が傾斜面に沿って下方移動することにより、シールド１が徐々に外方に広がってストッパー５を乗り越え、乗り越えると同時に自身の弾性力によって復帰するようにしている。
【０００８】
【実施例】
以下、本発明の実施例を図面に基づいて説明すると、図１は本発明の取付構造を実施したジェット型のヘルメットＡを示し、ＢはヘルメットＡの左右側部に装備される係止雄部材、Ｃはシールド１の左右取付部２に一体的に装備されて係止雄部材Ｂに係脱し、係止することでシールド１を上下回動可能に装着する係止雌部材である。
尚、係止雄部材Ｂ、係止雌部材Ｃ、取付部２については、左右同構造であるので左側のみを図示して説明する。
【０００９】
以下、本発明の取付構造を図２乃至図１４に基づいて説明する。
係止雄部材Ｂは、取付部２の回動中心となる支持部３と、取付部２の回動に弾性的に作用して所定位置で回動を規制する節度手段４の一方を構成する外周面円弧状の弾性片４１と、シールド１の回動範囲を規制するストッパー５を備えている。
係止雌部材Ｃは、節度手段４の他方を構成し、弾性片４１の外周面が適合状に係合する円弧状の係合部４２１が所定角度毎に多数形成された案内板４２と、支持部３に回動可能に係合する軸支部８とを備えている。
【００１０】
支持部３と弾性片４１は一体に成型されており、支持部３を軸支部８に係合させたとき、弾性片４１の外周面が係合部４２１に押し付けられることによって弾性力を発揮して、シールド１の開閉角度を節度よく切り替えるようにしている。ストッパー５は、シールド１の全開上限位置で取付部２に設けられた係合凸縁１０１（図５参照）と接触することによって、シールド１のそれ以上の回動を規制すると共に、係合凸縁１０１が全開上限位置を越えた位置からのシールド１の下方回動において、シールド１を外方に広げ、係合凸縁１０１がストッパー５を載り越えられるようにしたものであり、係止雄部材Ｂにスライド可能に係合一体化してある。
符号１０２は、ストッパー５を操作レバー９３でスライドさせたときに、ストッパー５と対向する通過凹部（図５及び図８参照）であり、シールド１の回動によりストッパー５を通過することでシールド１の全開上限位置以上の回動を可能とする。
尚、支持部３と軸止部８の構成については、特公平６−６０４４４号公報と同様であるので具体的な説明は省略するが、図中３１は凹部、３２は入口、３３は係合段部、８１は案内片、８２はボス部である。
【００１１】
以下、ストッパー５を詳述する。
ストッパー５は、形状を特公平６−６０４４４号公報と同様に、全開上限位置側を垂直面部５２とし、逆側を傾斜面部５３とする凸状とし、大きさを通過凹部１０２が通過できる程度にしてある。
又、支持部の入口３２を閉塞する閉塞部９と、ストッパー５をスライド操作する操作部９３（操作レバーという）とを連結板５１を介して一体に備えており、閉塞部９が常に入口を閉塞する方向に付勢されている。
閉塞部９は、案内片８１の上面を押さえる案内面９１と、案内面に連設されて上方、且つ厚み方向に傾斜させてなる押し面９２を有してなり、ストッパー５のスライドに伴ってスライドすることで入口３２に出入り可能な位置にあって、ストッパー５が通過凹部１０２から離反して係合凸縁１０１と接触可能な位置にあるときには、入口３２を閉塞すると共に、案内面９１がボス部８２の回動に伴う案内片８１の回動を案内し、ストッパー５が通過凹部１０２と対向している状態では入口３２を開放して案内片８１の案内を解除する。（図５、図６、図９、図１０参照）
又、シールド１を取り付けるときにボス部８２を凹部３１に嵌合するが、このとき、案内片８１が押し面９２を押すことによって、閉塞部９が案内解除方向へスライドして入口３２を開放すると共に、ボス部８２が凹部３１に嵌合すると同時に付勢力によって閉塞する。
操作レバー９３は、シールド１の全開上限位置において操作可能なように露出する位置にある。（図９参照）
【００１２】
符号３４は、係合雄部材Ｂに一体に設けられ、ストッパー５を前記した方向に付勢する板ばね３４である。
板ばね３４は、閉塞部９の後方に連結板５１と一体に設けられた押付け壁９２を押し付け、その付勢力によってストッパー５を通過凹部１０２から離反する方向に付勢している。
この板ばね３４の付勢力によって、ストッパー５を閉塞部９が常に入口３２を閉塞する方向に付勢している。
【００１３】
ストッパー５のスライド構造は、係合雄部材Ｂに一体、且つストッパー５のスライド方向に沿って形成された凸部９４が、連結板５１の前記凸部９４と対向する部位に一体に形成された突起９５と操作レバー９３と挟まれることによって、ストッパー５をスライドさせるようにしてある。（図２、図４、図７、図１１参照）
又、連結板５１を表裏から挟持することによって、ストッパー５と係合雄部材Ｂとを係合一体化している。
具体的には、凸部９４の基部側に突起９５の立上がり部分の端部及び連結板５１の表面側を押さえる押さえ板９６が一体に設けられ、他方板ばね３４の先側に押付け壁９２の下端部に設けられた係合凹部９７に係合することによって連結板５１の裏面側を押さえる押さえ突起９８が形成されており、これら押さえ板９６と押さえ突起９８により、連結板５１を表裏から挟持してストッパー５を係合雄部材Ｂに係合一体化する。（図２、図４参照）
この構成によって、ストッパー５が係合雄部材Ｂに対してスライド可能、且つ係合一体化されてひとつのユニットとなるので、ヘルメットＡに装備する作業が極めて容易となる。
【００１４】
符号１０は、ストッパー５が通過凹部１０２にスライドしたとき、両者の対向状態及び閉塞部９の開放状態を保持する保持部である。
保持部１０は、保持部１０の一方を構成し、連結板５１に弾性を持って一体に設けられた変形板１２と、変形板１２の先端外側に一体に突設された掛止突起１３と、保持部１０の他方を構成し、取付部２に設けられて掛止突起１３が掛止される掛止ストッパー１４とで構成されている。
掛止突起１３は、先端に掛止ストッパー１４に掛止される掛止面１５と、掛止面１５に連設されて先側、且つ厚み方向に傾斜する傾斜面１６を有してなり、ストッパー５が通過凹部１０２方向へスライドしたとき、傾斜面１５が掛止ストッパー１４に接触しながら押し付けられて変形板１２が内側にしなることによって、掛止ストッパー１４を乗り越えて変形板１２が弾性により元へ戻って掛止面１５が掛止ストッパー１４に掛止される。
掛止ストッパー１４は、シールド１が全開上限位置以上にあるときに掛止突起１３を掛止するような長さとし、軸支部８と同心とする円弧状に立ち上げ形成してある。
【００１５】
次に、以上のように構成した取付構造のシールドの着脱動作を説明する。
先ず、シールド１を上方に回動し全開上限位置にすると、ストッパー５が係合凸縁１０１に接触してこれ以上の回動が規制されると共に、操作レバー９３が操作可能状態に露出し、掛止ストッパー１４が掛止突起１３を掛止可能位置となる。（図５乃至図８参照）
回動規制状態から操作レバー９３を板ばね３４の付勢力に抗してスライド操作すると、ストッパー５がスライドして通過凹部１０２が通過可能な位置になると同時に、閉塞部９がスライドして入口３２から出て案内片８１の案内を解除し、さらに、掛止突起１３が掛止ストッパー１４に掛止されて掛止解除状態及び通過可能状態を保持する。（図９乃至図１２参照）
又、この状態では、案内片８１と係合段部３３とは係合していて、ボス部８２が凹部３１から離脱することを阻止している。
掛止解除状態及び通過可能状態からシールド１を上方に回動すると、通過凹部１０２がストッパー５を通過し、案内片８１の係合段部３３との係合が解除されて案内片８１が入口３２に抜き差し可能に合致することによって、ボス部８２が凹部３１から離脱可能状態となる。（図１３参照）
離脱可能状態になると同時に、シールド１が自身の弾性力によって外側に広がって、ボス部８２が凹部３１から離脱してシールド１が取り外される。（図１４参照）
シールド１を取り外すと掛止突起１３が掛止ストッパー１４から外れて、ストッパー５が板ばね３４の付勢力によって、通過凹部１０２から離反する方向へスライドすると同時に、閉塞部９が入口３２を閉塞し、初期状態に復帰する。（図１４参照）
【００１６】
シールド１を取り付けるには、シールド１を前記した離脱可能状態に位置させてボス部８２を凹部３１に押し込むと、前記したように案内片８１が押し面９２を押し、閉塞部９を案内解除方向へスライドさせて入口３２を開放する。
ボス部８２が凹部３１に嵌合されると同時に、閉塞部９が付勢力によって元に戻って入口を閉塞し、案内片８１の案内を開始する。
この状態から、シールド１を下方に回動すると、公報記載のものと同様に、係合凸縁１０１がストッパー５の傾斜面部５３に沿って移動すると共に、シールド１が徐々に外方に広がり、係合凸縁１０１がストッパー５を乗り越えると同時に、シールド１が自身の弾性力によって復帰することによって、図１乃至図４に示す通常の開閉回動可能状態となる。
【００１７】
【発明の効果】
本発明は以上説明したとおり、操作部を操作すれば、通常のシールドの開動作により、シールドを取り外すことができるので、前記公報において提案した取付構造の優れた効果を保持した上で、シールド着脱操作についてさらに利便性を向上させることを達成したシールドの取付構造を提供することができる。
その上、保持部によってストッパーの通過凹部と対向した状態を保持するので、ストッパーを使用者自身の手で止めることなくシールドの回動を行うことができる。
そして、全開上限位置においてストッパーが保持された状態では、案内片が係合段部と係合していてシールドの取付状態を保持し、シールドを全開上限位置からさらに上方回動させることによって、初めて案内片と係合段部との係合が解除されて、案内片が入口から離脱可能状態となるので、全開上限位置において誤って操作部を操作してもシールドが外れてしまうことを防止できる。
しかも、ストッパーが保持された全開上限位置から下方に回動させれば、ストッパーの保持が自動的に解除されるので、誤ってストッパーをスライドさせたときにでも迅速に通常のシールド取付状態に戻すことができる。
したがって、通常のシールド開閉回動においてシールドが外れてしまうことを防止することができる。
さらに、係合雄部材とストッパーを係合一体化してひとつのユニットとしているので、ヘルメットに装備する作業や分解メンテナンスが極めて容易となる。
【図面の簡単な説明】
【図１】本発明の取付構造を実施したヘルメットの側面図。
【図２】図１の要部拡大図。
【図３】図１の（３）−（３）線断面図。
【図４】図１の（４）−（４）線断面図。
【図５】シールドを全開上限位置にした要部拡大図。
【図６】図５の状態における図３に対応する断面図。
【図７】図５の（７）−（７）線断面図。
【図８】図５の（８）−（８）線断面図。
【図９】ストッパーがスライドして通過凹部と対向した状態の要部拡大図。
【図１０】図９の状態における図３に対応する断面図。
【図１１】図９の状態における図７に対応する断面図。
【図１２】図９の状態における図８に対応する断面図。
【図１３】シールドの離脱可能状態の要部拡大図。
【図１４】シールドを離脱させた状態の図３に対応する断面図。
【符号の説明】
Ａ：ヘルメット          Ｂ：係合雄部材
Ｃ：係合雌部材          １：シールド
５：ストッパー        １０：保持部
１１：取付部            ３１：凹部
３２：入口              ３３：係合段部
３４：板ばね            ８１：案内片
８２：ボス部            ９３：操作レバー（操作部）
１０１：係合凸縁        １０２：通過凹部
【図１】
0003549490.tif 000002
【図２】
0003549490.tif 000003
【図３】
0003549490.tif 000004
【図４】
0003549490.tif 000005
【図５】
0003549490.tif 000006
【図６】
0003549490.tif 000007
【図７】
0003549490.tif 000008
【図８】
0003549490.tif 000009
【図９】
0003549490.tif 000010
【図１０】
0003549490.tif 000011
【図１１】
0003549490.tif 000012
【図１２】
0003549490.tif 000013
【図１３】
0003549490.tif 000014
【図１４】
0003549490.tif 000015